(57)【要約】本開示は、微粒子物質（１２０）をガス（４０）から除去するように構成されたフィルタ（３０、３００）を再生する方法について言及する。開示する方法は、少なくとも１つの電気アーク放電パルス（１３０、１３５、１４０）を生成することを少なくとも含み、この少なくとも１つの電気アーク放電パルス（１３０、１３５、１４０）は、微粒子物質（１２０）がフィルタ（３０、３００）から遊離するように少なくとも１つの圧力波を発生させるのに適する。さらに、本開示は、フィルタ再生装置およびディーゼル微粒子フィルタ（３０、３００）について言及する。
2012504039.tif 000002
【特許請求の範囲】
【請求項１】
微粒子物質（１２０）をガス（４０）から除去するように構成されたフィルタ（３０、３００）を再生する方法であって、
フィルタ（３０、３００）内に少なくとも１つの電気アーク放電を発生させ、それにより、フィルタ（３０、３００）内に捕捉された微粒子物質（１２０）をフィルタ（３０、３００）から遊離させる少なくとも１つの圧力波を発生させるのに適した少なくとも１つの電気アーク放電パルス（１３０、１３５、１４０）を生成する方法ステップを含む方法。
【請求項２】
好ましくは吹き飛ばすか、または吸い込むことにより、遊離した微粒子物質（１２０）をフィルタ（３０、３００）から除去すること、
をさらに含む、請求項１に記載の方法。
【請求項３】
少なくとも１つの連続する電気アーク放電パルス（１３０、１３５、１４０）が誘因となって、フィルタ（３０、３００）内に少なくとも１つの連続する電気アーク放電が発生し、少なくとも１つの連続する電気アーク放電パルス（１３０、１３５、１４０）は、フィルタ（３０、３００）内に捕捉された微粒子物質（１２０）をフィルタ（３０、３００）から遊離させる圧力波を発生させるのに適する、請求項１または請求項２に記載の方法。
【請求項４】
少なくとも１つの電気アーク放電パルス（１３０、１３５、１４０）は、約１０Ａ、好ましくは約５０Ａの最小ピークパルス電流、および／または約１０００Ａ、好ましくは約１００Ａの最大ピークパルス電流を有する、請求項１〜３のいずれか一項に記載の方法。
【請求項５】
電気アーク放電パルスには、電気放電長さ当たりの解放パルスエネルギが約０．１ｍＪ／ｍｍ〜１００ｍＪ／ｍｍ、好ましくは１ｍＪ／ｍｍ〜１０ｍＪ／ｍｍのパルス（１３０、１３５、１４０）が含まれる、請求項３または請求項４に記載の方法。
【請求項６】
各電気アーク放電パルス（１３０、１３５、１４０）のパルス立ち上がり時間（ｒｔ）は、約１０-9ｓ〜１０-7ｓ、好ましくは１０-8ｓである、請求項１〜５のいずれか一項に記載の方法。
【請求項７】
パルス数は、フィルタ体積１リットル当たり最大１０6個、好ましくは１０3パルス／リットル〜１０5パルス／リットルであり、かつ／またはパルス繰り返し数は、約５Ｈｚ〜５０Ｈｚ、好ましくは約１０Ｈｚ〜２０Ｈｚであるのが好ましい、請求項１〜６のいずれか一項に記載の方法。
【請求項８】
少なくとも１つの連続する電気アーク放電パルス（１３０、１３５、１４０）を生成するシーケンスを繰り返すことをさらに含む、請求項１〜７のいずれか一項に記載の方法。
【請求項９】
パルス幅は、約１ｎｓ〜１０００ｎｓ、好ましくは１０ｎｓ〜５００ｎｓ、より好ましくは約５０ｎｓである、請求項１〜８のいずれか一項に記載の方法。
【請求項１０】
最小パルス高さは約２Ａである、請求項１〜９のいずれか一項に記載の方法。
【請求項１１】
少なくとも１つの第１の電極（１００）、および少なくとも１つの第２の電極（１１０）が配置され、方法は、少なくとも電気アーク放電パルス、好ましくは少なくとも１つの連続する電気アーク放電パルス（１３０、１３５、４０）によって、少なくとも１つの第１の電極（１００）と少なくとも１つの第２の電極（１１０）との間に電気アーク放電を発生させることをさらに含む、請求項１〜１０のいずれか一項に記載の方法。
【請求項１２】
フィルタ（３０、３００）は、導入側（３０５）の反対側にある排出側（３１０）を有する少なくとも１つのフィルタ壁（５５、３００）と、少なくとも１つの第１の電極（１００）および少なくとも１つの第２の電極（１１０）とを含み、少なくとも１つの第１の電極（１００）は、導入側（３０５）または排出側（３１０）に配置され、少なくとも１つの第２の電極（１１０）は、導入側（３０５）または排出側（３１０）に配置され、
少なくとも１つの電気アーク放電パルス、好ましくは少なくとも１つの連続する電気アーク放電パルス（１３０、１３５、４０）によって、フィルタ壁（５５、３００）にある、またはこれを通る少なくとも１つの第１の電極（１００）と少なくとも１つの第２の電極（１１０）との間に電気アーク放電を発生させることをさらに含む、請求項１〜１１のいずれか一項に記載の方法。
【請求項１３】
エンジン微粒子フィルタ、例えば、ディーゼルエンジン微粒子フィルタ（３０、３００）が再生され、微粒子物質には、ディーゼルエンジン微粒子物質および／またはすす（１２０）および／または灰などのエンジン燃料燃焼生成物が含まれる、請求項１〜１２のいずれか一項に記載の方法。
【請求項１４】
少なくとも１つの電気アーク放電パルス（１３０、１３５、１４０）を生成するように構成されたパルス発生装置（７０）であって、この少なくとも１つの電気アーク放電パルス（１３０、１３５、１４０）は、少なくとも１つの電気アーク放電を発生させ、それによって、フィルタ（３０、３００）内に捕捉された微粒子物質（１２０）をフィルタ（３０、３００）から遊離させる少なくとも１つの圧力波をフィルタ（３０、３００）内に発生させるように適合される、パルス発生装置（７０）、
を含むフィルタ再生装置（５）。
【請求項１５】
遊離した微粒子物質（１２０）をフィルタ（３０、３００）から除去するように構成された微粒子除去装置（９０、９５）、
をさらに含む、請求項１４に記載のフィルタ再生装置。
【請求項１６】
パルス発生装置（７０）は、少なくとも１つの連続する電気アーク放電パルス（１３０、１３５、１４０）を生成するように構成され、連続する電気アーク放電パルス（１３０、１３５、１４０）は、電気アーク放電を発生させ、それによって、フィルタ（３０、３００）内に捕捉された微粒子物質（１２０）をフィルタ（３０、３００）から遊離させる圧力波をフィルタ（３０、３００）内に発生させるように適合される、請求項１４または請求項１５に記載のフィルタ再生装置。
【請求項１７】
フィルタ（３０、３００）は、微粒子物質（１２０）を捕捉するように構成された導入側（３０５）と、導入側（３０５）の反対側にある排出側（３１０）とを有する少なくとも１つのフィルタ壁（５５、３００）と、フィルタ（３０、３００）内に電気アーク放電を発生させるように構成された少なくとも１つの第１の電極（１００）および少なくとも１つの第２の電極（１１０）とを含む、請求項１４〜１６のいずれか一項に記載のフィルタ装置。
【請求項１８】
少なくとも１つの第１の電極（１００）、特に、接地電極は、フィルタ（３０、３００）内に配置され、少なくとも１つの第２の電極（１１０）、好ましくは活性電極（１１０）は、第１の電極（１００）に対して所定の距離にある、請求項１４〜１７のいずれか一項に記載のフィルタ装置。
【請求項１９】
複数の第１の電極（１００）が互いに接続され、かつ／または複数の第２の電極（１１０）が互いに接続される、請求項１８に記載のフィルタ装置。
【請求項２０】
複数の第２の電極（１１０）は、少なくとも１つの第１の電極（１００）に対して所定の距離で均等に分散される、請求項１９に記載のフィルタ装置。
【請求項２１】
数個の第１の電極（１００）がフィルタ（３０、３００）内に配置され、各第１の電極（１００）は、それぞれの第１の電極（１００）に対して所定の距離にある２つ以上の第２の電極（１１０）に対応する、請求項１４〜２０のいずれか一項に記載のフィルタ装置。
【請求項２２】
パルス発生装置（７０）は、電圧供給源（２２５）、好ましくはＤＣ電圧供給源と、少なくとも１つの第１の電極（１００）および少なくとも１つの第２の電極（１１０）を含む少なくとも１つの電極群とを含み、少なくとも１つの第１の電極（１００）は高電圧端子に接続され、同じ電極群の少なくとも１つの第２の電極（１１０）は接地に接続される、請求項１４〜２１のいずれか一項に記載のフィルタ装置。
【請求項２３】
端子の極性を変えるように構成されたインバータ（２０５）をさらに含む、請求項２２に記載のフィルタ装置。
【請求項２４】
微粒子除去装置（９０、９５）は、遊離した微粒子物質（１２０）をフィルタ（３０、３００）から貯蔵装置（９０）内に吹き飛ばすように構成された送風装置、好ましくは低圧送風機を含む、請求項１５〜２３のいずれか一項に記載のフィルタ再生装置。
【請求項２５】
微粒子除去装置（９０、９５）は、遊離した微粒子物質（１２０）を貯蔵装置（９０）内に吸い込むように構成された吸引装置（９５）を含む、請求項１５〜２３のいずれか一項に記載のフィルタ再生装置。
【請求項２６】
パルス発生装置（７０）は、それぞれが、約１０Ａの最小ピークパルス電流、および／または約１０００Ａ、好ましくは約１００Ａの最大ピークパルス電流を有する電気アーク放電パルスを生成するように構成される、請求項１４〜２５のいずれか一項に記載のフィルタ再生装置。
【請求項２７】
パルス発生装置（７０）は、電気アーク放電長さ当たりの解放パルスエネルギが約０．１ｍＪ／ｍｍ〜１００ｍＪ／ｍｍ、好ましくは１ｍＪ／ｍｍ〜１０ｍＪ／ｍｍであるパルス（１３０、１３５、１４０）を含む少なくとも１つの連続する電気アーク放電パルスを生成するように構成される、請求項１４〜２６のいずれか一項に記載のフィルタ再生装置。
【請求項２８】
パルス発生装置（７０）は、それぞれが、約１０-9ｓ〜１０-7ｓ、好ましくは１０-8ｓのパルス立ち上がり時間を有する電気アーク放電パルスを生成するように構成される、請求項１４〜２７のいずれか一項に記載のフィルタ再生装置。
【請求項２９】
パルス発生装置（７０）は、パルス数がフィルタ体積１リットルあたり最大で１０6個、好ましくは１０3パルス／リットル〜１０5パルス／リットルであり、パルス繰り返し数が約５Ｈｚ〜５０Ｈｚ、好ましくは１０Ｈｚ〜２０Ｈｚである少なくとも１つの連続する電気アーク放電パルス（１３０、１３５、１４０）を生成するように構成される、請求項１４〜２８のいずれか一項に記載のフィルタ再生装置。
【請求項３０】
微粒子物質（１２０）をガス（４０）から除去するように構成されたフィルタ（３０、３００）、例えば、モノリシック微粒子フィルタをさらに含む、請求項１４〜２９のいずれか一項に記載のフィルタ再生装置。
【請求項３１】
微粒子物質を捕捉するのに適したフィルタ材料（５５）を有するディーゼル微粒子フィルタ（３０、３００）であって、フィルタ材料は、約６００℃、好ましくは約５００℃〜５５０℃、またはより好ましくは約４００℃〜４５０℃の最大耐熱温度を有する、ディーゼル微粒子フィルタ（３０、３００）。
【請求項３２】
少なくとも１つの電気アーク放電パルス（１３０、１３５、１４０）を誘因として、フィルタ（３０、３００）内に電気アーク放電を発生させ、それによって、少なくとも１つの圧力波がフィルタ（３０、３００）内に発生し、その結果として、フィルタ（３０、３００）内に捕捉された微粒子物質（１２０）がフィルタ（３０、３００）から遊離するように構成された少なくとも１対の電極（１００、１１０）をさらに含む、請求項３１に記載のディーゼル微粒子フィルタ（３０、３００）。
【請求項３３】
フィルタ材料は、セラミック、好ましくは菫青石、および紙で構成されたグループから選択される、請求項３１または請求項３２に記載のディーゼル微粒子フィルタ（３０、３００）。
【請求項３４】
フィルタに捕捉された微粒子物質を燃焼させるのではなくて、フィルタに捕捉された微粒子物質をフィルタから遊離させるように設定された少なくとも１つの電気アーク放電の使用。
【発明の詳細な説明】
【技術分野】
【０００１】
本開示は、ある種の微粒子収集面を再生または洗浄する方法、または、好ましくは、例えば、ガスから微粒子物質を除去するように構成されたディーゼル微粒子フィルタなどのフィルタを再生または洗浄する方法に関する。さらに、本開示は、例えば、ディーゼルフィルタ再生装置などのフィルタ再生装置、およびディーゼル微粒子フィルタ（ＤＰＦ）それ自体に関する。
【背景技術】
【０００２】
内燃機関等、および、例えば、固定炭化水素燃焼装置は、それらの排気システムによって、一般的には、微粒子または微粒子物質として、例えば、すすおよび／または灰と呼ばれる炭素質粒子を排出する傾向がある。排出源において微粒子排出物を減らす取り組みが広がっているが、そのような装置の排気システムにある微粒子フィルタは、厳しさを増す環境法および社会的な期待を満たすのに寄与する点で有益である。
【０００３】
再生可能な微粒子フィルタは公知である。基本的に、公知の再生技術は、３つのグループの再生技術に分類することができる。第１のグループでは、再生は、排気ガス中の余分な酸素を使用して、またはエンジンのＮＯx排出物から少量のＮＯ2を使用して、すすなどの集積した微粒子を酸化させることで行われる、すなわち、熱的プロセスが実施される。しかし、相当する酸化反応の開始温度が比較的高く、例えば、６００℃より高い。再生技術の第２のグループは、非熱的プラズマを使用して、ガス分子と相互作用する高度に励起した電子を生成する、すなわち、遊離基を生成する。これらの遊離基は、炭素酸化をさらに促進する助けとなる。第３のグループには、機械的作用、流れ、および／または圧力波を用いてフィルタが再生される再生技術を含めることができる。
【０００４】
（特許文献１）は、ガス流から微粒子を除去する装置および方法を開示している。深さが１００ｍｍ未満のセラミックモノリスフィルタは、第１の電極を使用して、フィルタの第１の端部付近で空中局所放電を起こさせる。深さが浅くなったセラミックフィルタと空中負荷放電との組み合わせは、公知のすべての装置よりもはるかに効率のよい微粒子除去およびフィルタ再生性能をもたらしたとされているが、その性能はまださらに改良できることが確認されている。
【０００５】
（特許文献２）は、同様に空中負荷放電を使用する、ガス流から微粒子を除去する装置および方法を開示している。上記の文献は共に、電極とフィルタ本体との間のガス内での空中負荷放電を使用する。この空中負荷放電の発生に伴い、フィルタ内に捕捉された微粒子物質は、空中負荷放電用の接地部分として機能し、放電により微粒子物質が酸化される。空中負荷放電を使用するのに伴い、フィルタを再生するには、例えば、６００℃を超える、あるいは１０００℃を超えることさえある高温に耐えるように設計されたフィルタ材料が必要である。さらに、ディーゼル微粒子フィルタのような微粒子フィルタを再生するのに、電力消費が比較的高くなることがある。全く同様の方法およびフィルタ装置が、（特許文献３）にも開示されている。
【０００６】
導電性粒子をガス流から除去する方法および装置が、（特許文献４）に開示されている。粒子で汚染されたフィルタは、粒子が発火し、それにより、燃焼してガス状合成物に変換されるように、捕捉した粒子を所定の時間にわたってスパーク放電および／または短い持続時間のアーク放電にさらすことにより、原位置で再生される。
【０００７】
（特許文献５）は、非熱的プラズマ発生装置を使用する排気ガス濾過システムを開示しており、非熱的プラズマ発生装置は、非熱的プラズマ発生装置の下流に配置されたフィルタ内に堆積した、または捕捉された炭素を周期的にまたは連続的に酸化する。（特許文献６）もまた、電力消費を少なくすることができ、燃焼排気ガス流を処理する方法で使用される非熱的プラズマ反応器について言及している。電力消費が少ない他の非熱的プラズマ反応器は、（特許文献７）から公知である。
【０００８】
電気式ガス浄化チャンバの集塵面を清浄する機械的手段は、（特許文献８）から公知である。この開示された装置によれば、集塵面は、浄化チャンバを流れるガスの圧力に変動が生じた場合に撓むように配置および構築される。集塵面の撓みまたは曲げ動作のために、集塵面に付着した埃は落とされる。圧力の変動は、自動的に起こってよいし、または集塵面の均一な揺動を保証するために人工的に発生させてもよい。この場合に、フィルタ手段のフィン壁が、フィン壁の外部に加えられたガス圧または空気圧の変化に応じて撓む。
【０００９】
機械の濾過装置から微粒子を除去する別のシステムが、（特許文献９）に示されている。この場合に、このシステムは、濾過装置を通るガス流を誘導するように構成された流れアセンブリを含むことができ、流れアセンブリの１つまたは複数の要素は、濾過装置の第１の開口に取り外し可能に取り付けられている。システムはまた、濾過装置から微粒子を除去するために、音波を濾過装置の方に向けるように構成された音波発生アセンブリを含むことができる。濾過装置から物質を除去するために、ヒータまたは何らかの他の熱源を使用して、濾過装置の温度を上げることができる。ヒータはまた、捕捉した微粒子物質の温度をその燃焼温度よりも上げることができ、それによって、収集した微粒子物質を燃焼させ、灰を残して濾過装置を再生する。
【００１０】
（特許文献１０）は、音波発生装置を使用して、閉じ込めを中断することなしに高速清浄するプロセスと合わせて、静電フィルタを開示している。
【００１１】
（特許文献１１）は、ディーゼル微粒子フィルタを清浄する装置を開示している。真空源が、清浄流体および廃棄物をフィルタを通して引き込むように配置される。収集器は、フィルタ清浄イベント中にフィルタから解放された廃棄物を受け入れるように配置される。
【００１２】
（特許文献１２）では、反応器は、誘電材料からなり、内部で長手方向に延びる独立した平行チャネルが交差する、概ね細長い形態の反応器本体を含む。本体内に放電コロナを発生させてガス流の処理を開始するために、電極が設けられる。
【００１３】
再生式すすフィルタ装置、およびマイクロ波発生装置を使用してすすフィルタを再生する方法が、（特許文献１３）に開示されている。
【００１４】
（特許文献１４）では、微粒子フィルタは、微粒子物質を加熱して燃焼させるために、交番電界を発生させるように構成された装置を使用する。
【先行技術文献】
【特許文献】
【００１５】
【特許文献１】国際公開第０１／０４４６７号パンフレット
【特許文献２】国際公開第２００７／０２３２６７Ａ１号パンフレット
【特許文献３】欧州特許第１  １９２  ３３５Ｂ１号明細書
【特許文献４】国際公開第９４／０７００８号パンフレット
【特許文献５】米国特許出願公開第２００１／００４２３７２Ａ１号明細書
【特許文献６】欧州特許出願公開第１  ２１９  ３４０Ａ１明細書
【特許文献７】米国特許出願公開第２００２／００７６３６８Ａ１号明細書
【特許文献８】英国特許第２５７，２８３号明細書
【特許文献９】米国特許出願公開第２００７／０１３７１５０Ａ１号明細書
【特許文献１０】米国特許第５，９００，０４３号明細書
【特許文献１１】国際公開第２００８／０５４２６２Ａ１号パンフレット
【特許文献１２】米国特許出願公開第２００５／０１０６９８５Ａ１号明細書
【特許文献１３】欧州特許出願公開第１  ３０４  ４５６Ａ１号明細書
【特許文献１４】独国特許出願公開第１０３  ４５  ９２５Ａ１号明細書
【発明の概要】
【発明が解決しようとする課題】
【００１６】
先行のフィルタ再生システムはすべて、大型で複雑なシステムを必要とする。本開示は、先行のフィルタ再生システムの１つまたは複数の態様を、少なくとも部分的に改善または解決することを目的とする。
【課題を解決するための手段】
【００１７】
本開示の第１の態様によれば、ガスから微粒子物質を除去するように構成されたフィルタを再生する方法は、少なくとも１つの電気アーク放電パルス、好ましくは少なくとも１つの連続する電気アーク放電パルスを生成することを含むことができ、少なくとも１つの電気アーク放電パルスは、少なくとも１つの電気アーク放電を発生させ、それによって、すすを含めた微粒子物質、および灰を含めた、フィルタによって捕捉された他の微粒子物質を遊離させるための少なくとも１つの圧力波を発生させるのに適する。
【００１８】
本開示の第２の態様によれば、フィルタ再生装置は、パルス発生装置を含むことができる。パルス発生装置は、少なくとも１つの電気アーク放電パルスを生成するように構成することができ、少なくとも１つの電気アーク放電パルスは、少なくとも１つの電気アーク放電を発生させ、それによって、フィルタに捕捉された微粒子をフィルタから遊離させる少なくとも１つの圧力波を発生させるのに適する。この装置は、オプションとして、すでに遊離した微粒子物質をフィルタから除去するように構成された微粒子除去装置をさらに含む。
【００１９】
本開示の別の態様は、微粒子物質を捕捉するのに適したフィルタ材料で構成できるディーゼル微粒子フィルタについて言及し、フィルタ材料は、約６００℃、好ましくは約５００℃〜５５０℃、または、より好ましくは約４００℃〜４５０℃の最大耐熱温度を有する。ディーゼル微粒子フィルタは、少なくとも１つの電気アーク放電パルスを誘因として、フィルタ内に少なくとも１つの電気アーク放電を発生させるように構成された少なくとも２つの電極をさらに含むことができ、この少なくとも１つの電気アーク放電は、少なくとも１つの圧力波によって、フィルタに捕捉された微粒子物質をフィルタから遊離させる。
【００２０】
本開示のさらなる態様は、フィルタに捕捉された微粒子物質を燃焼させるのではなくて、フィルタに捕捉された微粒子物質を、好ましくは少なくとも１つの圧力波によって、フィルタから遊離させるように形成された少なくとも１つの電気アーク放電の使用について言及する。
【００２１】
当然のことながら、前述の概略的な説明および下記の詳細な説明は、単なる例示および説明であり、本開示を限定するものではない。
【００２２】
本開示の他の特徴および態様が、下記の説明、添付の図面、および添付の特許請求の範囲によって当業者に明らかになるであろう。
【図面の簡単な説明】
【００２３】
【図１】本開示の第１の例示的な実施形態によるフィルタ再生装置の例示的な実施形態の概略ブロック図を示している。
【図２】例えば、図１に示すフィルタ再生装置で使用されるフィルタの例示的な実施形態の概略斜視図である。
【図３】例示的な配置パターンによる電極を含む、例えば、図２に示すフィルタの概略断面図である。
【図４】図２および図３に示すフィルタの概略縦断面図である。
【図５】例えば、図１に示すフィルタ再生装置で使用されるフィルタの別の例示的な実施形態の概略斜視図である。
【図６】例えば、図１に示すようなフィルタ再生装置で使用されるパルス発生装置の例示的な実施形態のブロック図である。
【図７】電気アーク放電パルスを生成するのに使用される概略回路図の例である。
【図８】例えば、図６または図７に示すような回路によって生成される一連の電気アーク放電パルスの例示的な実施形態を示すグラフである。
【図９】例えば、図６および図７に示すような回路によって生成される１つの電気アーク放電パルスの様々な例示的実施形態を示し、パルスは様々な電力、または形状、または振幅を有する。
【図１０】本開示による例示的なフィルタ再生装置に相当する実験室用の試験装置の概略ブロック図である。
【図１１】図１０に示す試験装置を使用した試験で得られた再生前の曲線と、対比する再生後「３分」の曲線とを示している。
【図１２】図１０に示す実験室用の試験装置を使用して得られた試験結果を示している。
【図１３】本開示に従って部分的に処理された導入チャネルおよび排出チャネルを有するフィルタの縦断面図を示している。
【発明を実施するための形態】
【００２４】
図面を参照すると、図１〜４および図６〜９は、本開示による非熱的再生フィルタ装置５の例示的な実施形態を示している。
【００２５】
図１ａは、例えば、内燃機関からの排気ガスなどのガス４０から微粒子物質１２０を除去するように構成された非熱的フィルタ再生装置５の概略ブロック図を示している。排気ガス４０は、例えば、ディーゼルエンジンとすることができる内燃機関（図示せず）を出るときに、比較的高い温度を有することがある。図１に示すフィルタ装置５は、フィルタ装置３０が収容されたハウジング６を含むことができる。フィルタ導入口１０は、ハウジング６につながっている。排気管２０は、フィルタ導入口１０に接続されている。フィルタ排出口１５は、フィルタ装置３０の別の側でハウジング６に接続することができる。フィルタ排出口１５は、濾過されたガス５０用の排気管２５で終端することができる。
【００２６】
図１に示すこの例示的な実施形態では、分岐配管８０は、フィルタ導入口１０と流体連通している。抽出ファン９５を装備できる貯蔵容器９０は、分岐配管８０に接続されている。弁８５を用いてポート８６を開閉できるように、可動弁８５をポート８６に配置することができる。当然ながら、他の制御可能な手段を設けて、または適合させて、フィルタ導入口１０と貯蔵容器９０との間の接続を開閉することができる。
【００２７】
概略的に示すように、パルス発生装置７０は、電気配線７５によって電極１００、１１０（例えば、図２〜４、図６、および図７を参照のこと）に接続されている。電極は、例えば、図２〜４に示すように、フィルタ装置３０内に配置されている。
【００２８】
排気管２０と、次に続くフィルタ導入口１０とを通ってフィルタ装置５に流入した排気ガス４０は、フィルタ装置３０内を進まなくてはならない。清浄された排気ガス５０は、フィルタ排出口１５および付属の排気管２５を通ってフィルタ３０を出ることができる。フィルタ装置３０の構造および設計と、排気ガスがフィルタ装置３０内でとる流路とに関する詳細な説明が、図２〜５を参照して下記に続く。
【００２９】
フィルタ装置３０の通常動作中に、すなわち、フィルタ導入口１０に流れ込む排気ガス４０を清浄するときに、弁８５は分岐配管８０のポート８６を閉じる。
【００３０】
微粒子物質１２０が、上記に開示し、下記にさらに詳細に説明する方法に従ってフィルタ装置３０から遊離した場合、弁８５が作動してポート８６が開く。抽出ファン９５を作動させて、フィルタ装置３０からすでに遊離し、例えば、フィルタ装置３０のセルまたはチャネル３５内に分離して存在する微粒子物質１２０を吸引することができる。チャネル３５の形状は管状とすることができ、例えば、チャネルの開口幅は、約２ｍｍとすることができる。ただし、他のチャネル寸法も適切であり得る。
【００３１】
捕捉した微粒子物質１２０の少なくとも一部は、フィルタ３０内に分散された複数の電極１００、１１０間に、１つまたは複数の連続する電気アーク放出パルスを生成することにより遊離することができる。連続する電気アーク放出パルス１３０、１３５、１４０が生成されて圧力波が発生し、それにより、微粒子物質１２０がフィルタ３０から遊離または分離する。１つまたは複数の連続する電気アーク放出パルス１３０、１３５、１４０は、エンジン（図示せず）が止まったときに、したがって、排気ガス４０がフィルタ要素３０に流入しないときに生成することができる。
【００３２】
図２は、例えば、モノリシックセラミックフィルタなどのモノリシックフィルタとして具現化できるフィルタ装置３０の例示的な実施形態の概略的な斜視図を示している。フィルタ装置３０は、互いに平行に配置された複数のセル３５、３６を含むことができる。図２に示すフィルタ装置３０の例示的な実施形態では、セル３５は、フィルタ導入口１０と流体連通している。各セル３５の一端は、例えば、プラグ４５によって閉じられている。プラグ４５は、セル３５に挿入し、これに固定することができる。代替案として、プラグは、セル３５と一体で形成することができる。
【００３３】
セル３６は、フィルタ排出口１５と流体連通することができ、これらのセル３６には、セル３５の端部プラグ４５の反対側に端部プラグ４５が設けられている。セル３６からセル３５を分離するフィルタ壁５５は、フィルタ装置３０に流入した排気ガス４０内の微粒子物質１２０が、フィルタ壁５５に捕捉されるように設計および形成されている。したがって、濾過された、または浄化された排気ガス５０は、微粒子物質１２０を何ら含まないか、またはフィルタ装置３０に流入する排気ガス４０と比べて、量が低減された微粒子物質１２０を含むだけである。
【００３４】
図２に示すように、セル３５は、フィルタ導入口１０と流体連通し、フィルタ排出口１５と流体連通するセル３６によって囲まれている。言い換えると、フィルタ装置３０のこの例示的な実施形態では、セル３５およびセル３６は、交互のパターンで配置することができる。
【００３５】
図３は、例えば、フィルタ装置３０内の電極１００、１１０の配置に関する。なお、図３に示す電極１００、１１０の配置は、単に１つの例示的な実施形態であり、当然ながら、電極１００、１１０の他の配置パターンが可能である。この場合に、電極１００、すなわち、電源２２５、好ましくはＤＣ電源の端子に接続することができる電極は、活性電極１１０、すなわち、電源２２５のプラス極またはプラス端子に接続できる電極を囲む六角形パターンで配置されている。上記の端子は、電源２２５のマイナス極と接続することができる。
【００３６】
特定の実施形態では、活性電極１１０を囲む電極１００を、例えば、五角形、三角形、または他のパターンで配置するのが適切なことがある。基本的配置としては、電極１００が他の活性電極１１０と離間した関係にあるものがあり得る。連続する電気アーク放電パルス１３０、１３５、１４０は、複数の電極１００と１つまたは複数の活性電極１１０との間で生成され、電気アーク放電パルス１３０、１３５、１４０は、圧力波が発生するような形状とされ、またはそのように適合され、この圧力波は、例えば、フィルタ、特にフィルタ壁５５を伝播する圧力波によって、微粒子物質１２０をフィルタ３０から遊離させる。
【００３７】
本開示によるフィルタ装置５のこの例示的な実施形態では、電極１００、例えば、接地電極、および活性電極１１０は、直線状のワイヤ電極とすることができるが、他の形態の電極１００、１１０、例えば、ヘリカルワイヤ電極またはスパイラルワイヤ電極などを使用することもできる。
【００３８】
図４は、フィルタ装置３０内の電極１００の典型的な配置を、例えば、図２および図３に示すようなフィルタ３０の縦断面図で示している。示した配置では、２つの電極１００は、例えば、５つのチャネル３５、３６分の距離だけ互いから離間している。ただし、例えば、フィルタ壁５５の厚さ、フィルタ壁５５の材料などに応じた、２つの電極１００間の他の距離が適切であることもある。別の例示的な実施形態では、電極１００は、すべてのフィルタ壁５５内に、または２つごと、３つごと、４つごとなどの壁５５内に配置することができる。活性電極は、例えば、フィルタ壁５５に接触しないで、セル３５内に配置することができる。
【００３９】
濾過装置３００のさらなる例示的な実施形態が図５に示されている。図２に示す濾過装置の代替案として、濾過装置３００は、ひだ状のフィルタ壁３０５、３１０を有する。ひだ状のフィルタ壁３０５、３１０は、例えば、円筒形状の濾過装置３００の中心線（図示せず）を中心とした円上に配置することができる。微粒子物質１２０で汚染された排気ガス４０は、濾過装置３００の外部からフィルタ壁３０５、３１０を通って濾過装置３００の内部２０に進まなければならない。フィルタ壁３０５、３１０を通過すると、浄化された排気ガス５０は、濾過装置３００の前端部の１つに案内されて濾過装置３００を出ることができる。捕捉された微粒子物質をフィルタ壁３０５、３１０から遊離させる、または分離するために、少なくとも一対の電極１００、１１０が、例えば、それぞれ濾過装置３００の外側と、濾過装置３００の内側とに配置されている。その結果、少なくとも１つのフィルタ壁３０５、３１０は、２つの電極１００、１１０間に配置される。本開示による少なくとも１つの連続するパルスが生成された場合、この特殊な連続する電気アーク放電パルスのために、電気アーク放電が発生し、圧力波が生成され、フィルタ壁３０５、３１０に捕捉された微粒子物質１２０は、この圧力波によりフィルタ壁３０５、３１０から遊離する。
【００４０】
濾過装置３００が、その中心線が垂直である態様で配置された場合、遊離した微粒子物質１２０は、重力によって降下することができ、貯蔵バッグなどに収集することができる。代替案として、遊離した微粒子物質１２０は、例えば、ファン（例えば、低圧ファン）または他の任意の適切な技術的装置によって、容器などの中に吹き飛ばすことができる。さらなる代替案としてあり得るのは、遊離した微粒子物質が、例えば、真空装置、または他の任意の適切な技術的装置によって吸引されることである。
【００４１】
図６は、再生プロセスを再現するのに必要とされ得る電源構成要素の図を示しているが、そのプロセスが、これらの構成要素のみで行われると限定するものではない。エネルギは、電力源２２５によって供給され、この電力源は、簡便に、車両のバッテリまたは他のローカル電源とすることができる。再生プロセスは、スイッチ２２６によって電力源を他の電源構成要素に接続することで開始される。スイッチ２２６は、物理的接続器、あるいは、むしろ、電力コンバータアセンブリ２２７に組み込まれた電子素子または制御手段とすることができる。
【００４２】
電力コンバータ２２７は、必要に応じて、電力源２２５によって供給された電力をエネルギ蓄積素子２２８に適した形態に変換する。エネルギ蓄積素子２２８は、簡便にはコンデンサであるが、１つまたは複数の他の蓄積素子も可能である。素子２２８は、構成要素の１つに組み込まれた制御手段か、または外部の制御手段を通して、使用者によって制御される通りに、その出力部に電流波形を生成することを必要とされることがある。これは、第２のスイッチ２２９を使用して、蓄積素子２２８に蓄積されたエネルギを解放することによって行うことができ、第２のスイッチ２２９は、物理的手段、または組み込まれた制御素子または制御プロセスとすることができる。蓄積されたエネルギは、必要とされる電圧および電流レベルを達成するために、簡便に変圧器とすることができる第２の電力コンバータ素子２３０を通過しなければならないことがある。
【００４３】
一部の実施では、コンバータ２３０は必要とされないことがある。次に、最終段の出力は、電極１００、１１０に物理的に接続される。
【００４４】
図７は、１つのあり得る電源トポロジを示している。この電源は、エネルギ源２３１としてバッテリを使用している。バッテリ２３１は、電力コンバータ２３２に接続され、電力コンバータは、バッテリ電圧を、フィルタ内の電極１００、１１０に電力を供給できる、より高い電圧に変換する。高電圧出力は、電力コンバータ２３２、サブ回路２３７、２３８、２３９の態様を変えることで修正することができる。コンバータ２３２の高電圧出力は、サブ回路２３７の公知の作用によって電流制限される。サブ回路２３７は、ダイオード倍電圧整流回路とすることができる。サブ回路２３７の出力電流は、エネルギ蓄積コンデンサ２３３に充電される。出力放電パルスが必要とされる場合、コンデンサは、スパークギャップ２３４を使用して電極に接続される（２３６を介した接続）。スパークギャップ２３４は、必要とされる制御の程度に応じて、制御されるか、または自己整流することができる。
【００４５】
電源の運用は、マイクロコントローラ、または別のアナログ回路もしくはデジタル回路とすることができるコントローラ２３５を使用する。コントローラ２３５は、高圧変圧器２３８を励振するハーフブリッジインバータ２３９の動作を決める。再生システムは、コントローラの働きによって作動および停止する。
【００４６】
連続する電気アーク放電パルスを生成する回路のこの例示的な実施形態は、接続線２８０、２７０にそれぞれ接続された電極１００、１１０が電気アーク放電を発生させ、次いで、この電気アーク放電が、フィルタ装置３０、３００内に圧力波を発生させる。電気アーク放電を引き起こすパルス１３０の立ち上がり時間ｒｔは、きわめて短くすることができ、例えば、１ｎｓ〜１０００ｎｓ、好ましくは約１０ｎｓ〜２００ｎｓ、より好ましくは約８０ｎｓ〜１２０ｎｓ、さらにより好ましくは約１００ｎｓとすることができるのが好ましい。パルスの最大振幅は、１．００ＭＷ〜約５．００ＭＷ、好ましくは約１．２５ＭＷ〜２．５０ＭＷとすることができる。ピーク放電電流パルスは、約２００ｎｓの期間にわたって１００Ａを超えることができ、供給電圧は、最大２０ｋＶとすることができる。生成された電気アーク放電パルス１３０、１３５、１４０は、約１０Ａ〜１０００Ａ、好ましくは約１００Ａのピークパルス電流を有するのが好ましい。連続する電気アーク放電パルスには、アーク長さ当たりの解放パルスエネルギが約０．１ｍＪ／ｍｍ〜１００ｍＪ／ｍｍ、好ましくは１ｍＪ／ｍｍ〜１０ｍＪ／ｍｍのパルス１３０、１３５、１４０が含まれ得る。各電気アーク放電パルス１３０、１３５、１４０のパルス立ち上がり時間ｒｔは、約１０-9ｓ〜１０-7ｓ、好ましくは１０-8ｓとすることができる。パルス数は、フィルタ体積１リットル当たり最大１０6個、好ましくは１０3パルス／リットル〜１０5パルス／リットルとすることができ、パルス繰り返し数は、約５Ｈｚ〜５０Ｈｚ、好ましくは約１０Ｈｚ〜２０Ｈｚであるのが好ましい。フィルタ体積は、フィルタの外部寸法から求められる。
【００４７】
図９は、例えば、５００ｐＦ、１５００ｐＦ、および２５００ｐＦのコンデンサによって生成された単一の電気アーク放電パルス１３０、１３５、１４０の様々な例示的実施形態を示している。
【００４８】
図１０は、本開示による方法を実証するのに適した実験室用試験フィルタ装置の概略ブロック図である。実験室用試験フィルタ装置５００は、微粒子物質を詰めた濾過装置５２０が配置されたハウジング５１０を含むことができる。例えば、濾過装置５２０内に電極１００、１１０を配置し、少なくとも１つの連続する電気アーク放電パルスを生成することで、微粒子物質は、濾過装置５２０、または濾過された物質を除去する必要がある他の任意の面から遊離することができる。
【００４９】
清浄フィルタ５３０は、濾過装置５２０の下流に、濾過装置５２０に対して所定の距離で配置されている。濾過装置５２０は、３．８ｇ／リットルまで微粒子物質を充填された２００ｃｐｓｉ（セル／平方インチ）の菫青石ＷＦＦである。微粒子物質を本開示に従って処理して、微粒子物質をフィルタ表面から遊離させた。除去した微粒子物質の量に関する質量測定を可能にするために、６００Ｗの家庭用小型掃除機を使用して、空気をフィルタを通して引き込み、捕捉された微粒子物質を第２の清浄フィルタ５３０に移動させた。平均電力消費量がそれぞれ１６Ｗの１５個の電気アーク放電パルスをフィルタに３分間連続して印加した。背圧および質量の測定値を使用して、本開示による処理方法の効果を求めた。単にこの構成を使用して、再生されなければならない詰まった濾過装置５２０から除去した微粒子物質を収集し、その微粒子物質を下流のフィルタ５３０内に集め、それぞれ重量の増減を計量することで、微粒子物質の除去された質量を評価した。
【００５０】
図１２に示す表は、２つのフィルタ５２０、５３０の質量の変化を示している。この表は、パルス状の電気アーク放電を３分間繰り返すことにより、電気アーク放電を供給された１５個の活性電極が、主フィルタ５２０から微粒子物質を約５．３ｇ除去したことを示している。これにより、図１１に示すように、５０ｋｇ／ｈ〜２００ｋｇ／ｈで平均８６％だけフィルタの背圧が下がっている。０．５ｇ／リットル〜１ｇ／リットルの微粒子物質（具体的には、１．２２ｇ〜２．４４ｇ）が、深層濾過モードに対応するフィルタ構造体内にあった。これは、約７．４ｇの捕捉された微粒子物質がケーク層にあったことを意味する。フィルタ体積の７２％だけが、本開示による方法で処理されたと仮定すると、ケーク層を約５．３ｇ（７１％）除去したことは、本開示による方法が、低電力かつ短い持続時間で微粒子物質のケーク層を除去するのに非常に有効であることを示す。
【００５１】
最後に、図１３は、本開示による方法の結果として、いくつかのチャネル３５で、微粒子物質１２０がフィルタ壁５５から遊離した濾過装置３０の縦断面図を示している。
【００５２】
産業上の利用性
図１に示す、開示した再生フィルタ装置５は、濾過装置３０、または濾過装置３００、および／または他の適切な濾過装置もしくは当技術分野で公知の物質収集装置を再生するのに使用することができる。そのような装置は、例えば、微粒子物質または微粒子などの物質を除去するのが望ましいことがある任意の用途で有用であり得る。例えば、開示した方法および装置は、ディーゼルエンジン、ガソリンエンジン、天然ガスエンジン、および／または当技術分野で公知の他の燃焼エンジンもしくは燃焼炉で使用することができる。例えば、製薬業で、微粒子物質からエアロゾルを生成するためになど、他の用途も可能である。開示した方法および装置はまた、吸入器、熱交換器、特に清浄熱交換器などで、および燃料噴射装置の清浄用に使用することができる。
【００５３】
上記のように、開示した方法および装置５は、特に、任意の作業用機械、オンロード車両、オフロード車両、固定機械、および／または他の排気ガス生成機械と共に使用されて、それらに取り付けられた濾過装置から物質を除去することができる。
【００５４】
再生中に、濾過装置３０、３００をその通常の使用位置に保持することができる。一方、濾過装置３０、３００を交換可能な態様で取り付け、微粒子物質が詰まった濾過装置３０、３００を取り出し、その濾過装置を固定再生装置に取り付けることも可能である。そのような固定再生装置では、濾過装置３０、３００を挿入することができ、次いで、開示した方法に従って１つまたは複数の連続する電気アーク放電パルスを生成して、圧力波を濾過装置３０、３００に伝播させ、それによって、微粒子物質１２０が遊離するように、多数の電極１００、１１０を配置することができる。
【００５５】
開示した方法および装置は、例えば、すすおよび／または灰などの微粒子物質を分離して、例えば、その後、開示した方法を使用しないプロセスよりもはるかに小さい所要圧力または所要流量でその微粒子物質を除去できるようにする電気アーク放電を特徴とすることができる。
【００５６】
すすおよび／または灰および／または他の微粒子物質は、例えば、上記の容器など、独立した、または内蔵された容器に集めることができる。独立した再生装置が設けられた場合、例えば、送風ファンもしくは真空装置により、濾過装置３０、３００から遊離した微粒子物質を濾過装置３０、３００から外に吹き飛ばすことができるか、または、遊離した微粒子物質１２０を対応する容器に吸い込むことができる。濾過装置３０、３００から微粒子物質１２０を除去するために、内燃機関（図示せず）を停止してその燃焼を止めることができ、内燃機関からその排気管２０への排気ガス流がなくなる。弁８５は、コントローラ（図示せず）、機械オペレータ、または技術者によって作動されて、濾過導入口１０を貯蔵容器９０に接続する分岐配管８０のポート８６を開くことができる。その後、パルス発生装置７０を作動させて、濾過装置３０、３００を再生することができる。
【００５７】
あるいは、弁８５でポート８６を開くのは、微粒子物質が遊離したあとに、すなわち、パルス発生装置７０を作動させたあとに行ってもよくて、微粒子物質１２０が、濾過装置３０、３００から部分的に、または完全に遊離した後、濾過導入口と貯蔵容器９０との間の接続が形成される。
【００５８】
捕捉された微粒子物質１２０を濾過装置３０、３００から遊離させることには、少なくとも１つの連続する電気アーク放電パルスを生成することを含むことができ、この電気アーク放電パルスは、特定の繰り返し数を有することができ、特定の繰り返し数に従った多数の同一または同様のパルスを含む。１つの連続する電気アーク放電パルスと、それに続く連続する電気アーク放電パルスとの間に特定の時間を設定することができる。この方法の例示的な実施形態では、１つの連続する電気アーク放電パルスは、所望の量の微粒子物質１２０を、または濾過装置３０、３００に捕捉された見込まれる微粒子物質１２０の特定のパーセントを遊離させることができるまで生成される。
【００５９】
例えば、連続する電気アーク放電パルスは、数秒から最大で数時間までの期間にわたって生成することができる。別の例示的な実施形態では、１つの連続する電気アーク放電パルスは、約数秒から約数分の間生成され、同じまたは別の繰り返し数を有する、それに続く別の連続する電気アーク放電パルスが、別のまたは同じ期間にわたって続くことができる。
【００６０】
連続する電気アーク放電パルス数、および／または繰り返し数、および／または連続する電気アーク放電パルスのうちの１つのパルスの振幅および立ち上がり時間は、濾過装置３０、３００の再生を最適化するように合わせることができる。例えば、連続する電気アーク放電パルスの各電気アーク放電パルスの立ち上がり時間は、約１ｎｓ〜１０００ｎｓ以上、好ましくは約１００ｎｓ、より好ましくは５ｎｓ〜５０ｎｓ、より好ましくは約１０ｎｓの範囲内とすることができる。
【００６１】
なお、上記の範囲内の各中間値はどれも、開示した方法の一部である。遊離した微粒子物質１２０を濾過装置３０、３００から除去するステップは、続いて起こる２つの連続する電気アーク放電パルス間か、または１つまたは複数の連続する電気アーク放電パルスの生成を終了後に行うことができる。遊離した微粒子物質１２０の除去は、１つまたは複数の連続する放電パルスと交互にか、または微粒子物質１２０の濾過装置３０、３００からの遊離を終了後に行うことができる。
【００６２】
遊離した微粒子物質１２０を除去しなければならない場合、抽出ファン９５を作動させて、チャネル３５内の遊離した微粒子物質１２０を濾過装置３０から吸い込むことができる。遊離した微粒子物質１２０を濾過装置３００の外面から吸い込むことも可能である。ファンまたは抽出機は、場合によっては、空気をフィルタの他の側に供給し、微粒子物質をフィルタから吹き飛ばすのに使用されるファンまたは送風機とすることができる。
【００６３】
遊離した微粒子物質１２０が容器９０に送られると、容器９０から排出するか、または容器９０全体を分岐配管８０から切り離して、別の場所で、または再生した現場で、容器９０から排出することができる。
【００６４】
上記のように、少なくとも１つの連続する電気アーク放電パルスを生成して、圧力波に濾過装置３０、３００を伝播させる電気アーク放電を発生させることにより、濾過装置３０、３００から微粒子物質１２０を遊離させることができる。立ち上がり時間ｒｔ、および／または最大振幅ａｍｐ、および／またはパルス数、および／または連続する電気アーク放電パルス数は、濾過装置３０、３００を伝播する圧力波の発生に影響を及ぼすことができる。
【００６５】
提示した方法および再生フィルタ装置５は、公知のシステムと比較してエネルギ消費を少なくすることができる。さらに、発生するＣＯ2が少ないという利点がある。さらに、フィルタ内に残る灰が少なくなるか、または全くないことさえあり得る。提示した方法は、濾過装置３０、３００がそれに備えて設計されなければならない最高温度を低くすることができ、したがって、濾過装置は、あまり高価でない、および／または効果的な材料で構成することができる。
【００６６】
概略すると、本開示によれば、例えば、すすおよび／または灰などの遊離される微粒子物質は、特別な電気アーク放電パルス、または少なくとも１つの特別な連続する電気アーク放電パルスにより微粒子物質が遊離した後、フィルタから除去することができる。言い換えると、本開示の核心は、微粒子物質を燃焼させることなく、フィルタから微粒子物質を遊離させる少なくとも１つの特別な電気アーク放電の使用とすることができる。したがって、開示した方法は、ガスから微粒子物質を除去するように構成された任意のフィルタを、微粒子物質を燃焼させる先行技術の問題解決策と比較して比較的低い温度で再生する方法とすることができる。したがって、フィルタに捕捉された微粒子物質は、燃焼するのではなくて、正しくは、フィルタから機械的に打ち出される。
【００６７】
開示した方法の態様によれば、「自動選択性」は、電気アーク放電が、清浄なフィルタ面でなく、すす粒子上に、すなわち、最も用途のある場所に位置するという点で重要である。一方、すすではなくて、例えば、灰または他の汚染物などの他の微粒子物質がフィルタに詰まっている場合でさえ、開示した方法は機能することができる。現在の灰の形成が、例えば、ディーゼル微粒子フィルタなどのような微粒子フィルタの寿命を限定し、本開示は、それらフィルタがより長く使用されるのを可能にするので、故に、灰の除去は、開示した方法および装置のさらなる利点であり得る。
【００６８】
他の態様は、開示した装置方法を小型にすることができ、開示した方法および装置の両方を低価格にすることができることである。
【００６９】
本発明の好ましい実施形態が本明細書で説明されたが、添付の請求項の範囲を逸脱することなしに、改良および修正を導入することができる。
【００７０】
明細書および／または特許請求の範囲に開示されるすべての特徴は、本来の開示を目的として、さらには、実施形態および／または特許請求の範囲における特徴の構成とは関係のない、特許請求される発明を制限するために、別個にかつ互いに独立して開示されることを意図されていると明確に記しておく。値の範囲または構成要素のグループを示すものについてはすべて、本来の開示を目的として、さらには、特に、値の範囲を限定するものとして、特許請求される発明を制限するために、あり得るすべての中間値または中間的構成要素を開示していることも明確に記しておく。
【図１】
2012504039.tif 000003
【図２】
2012504039.tif 000004
【図３】
2012504039.tif 000005
【図４】
2012504039.tif 000006
【図５】
2012504039.tif 000007
【図６】
2012504039.tif 000008
【図７】
2012504039.tif 000009
【図８】
2012504039.tif 000010
【図９】
2012504039.tif 000011
【図１０】
2012504039.tif 000012
【図１１】
2012504039.tif 000013
【図１２】
2012504039.tif 000014
【図１３】
2012504039.tif 000015
【国際調査報告】
2012504039.tif 000016
2012504039.tif 000017
2012504039.tif 000018
2012504039.tif 000019
2012504039.tif 000020